(57)【要約】【課題】フィット感を高めることができるとともに、滑り止め効果を十分に高めることができ、かつ装着者が感じる違和感を小さくすることができる手袋を提供する。【解決手段】手袋１は、親指部１１Ａ、人差し指部１１Ｂ、中指部１１Ｃ、薬指部１１Ｄおよび小指部１１Ｅと、手掌部１２と、表面滑り止め部材２０と、裏面滑り止め部材３０とを備えている。表面滑り止め部材２０および裏面滑り止め部材３０の各々は、人差し指部１１Ｂ、中指部１１Ｃ、薬指部１１Ｄおよび小指部１１Ｅが並ぶ方向において、手掌部１２の中心よりも親指部１１Ａと反対側に配置されている。表面滑り止め部材２０は、手掌部１２の人差し指部１１Ｂ、中指部１１Ｃ、薬指部１１Ｄおよび小指部１１Ｅの付け根側よりも手首側の面積が大きい。裏面滑り止め部材３０は、手掌部１２の手首側よりも付け根側の面積が大きい。【選択図】図１
2022001678.tif 000002
【特許請求の範囲】
【請求項１】
装着者の手の親指、人差し指、中指、薬指および小指をそれぞれ受け入れ可能な親指部、人差し指部、中指部、薬指部および小指部と、
前記装着者の手掌を受け入れ可能な手掌部と、
前記手掌部の表面に配置された表面滑り止め部材と、
前記手掌部の裏面に配置された裏面滑り止め部材とを備え、
前記表面滑り止め部材および前記裏面滑り止め部材の各々は、前記人差し指部、前記中指部、前記薬指部および前記小指部が並ぶ方向において、前記手掌部の中心よりも前記親指部と反対側に配置されており、
前記表面滑り止め部材は、前記手掌部の前記人差し指部、前記中指部、前記薬指部および前記小指部の付け根側よりも手首側の面積が大きく、
前記裏面滑り止め部材は、前記手掌部の前記手首側よりも前記付け根側の面積が大きい、手袋。
【請求項２】
前記表面滑り止め部材は、複数の表面滑り止め部を含み、
前記裏面滑り止め部材は、複数の裏面滑り止め部を含み、
前記複数の表面滑り止め部のうち最も前記手首側に配置された前記表面滑り止め部の面積は、前記複数の表面滑り止め部のうち最も前記付け根側に配置された前記表面滑り止め部の面積よりも大きく、
前記複数の裏面滑り止め部のうち最も前記付け根側に配置された前記裏面滑り止め部の面積は、前記複数の裏面滑り止め部のうち最も前記手首側に配置された前記裏面滑り止め部の面積よりも大きい、請求項１に記載の手袋。
【請求項３】
前記手掌部は、前記装着者の前記手掌の母指球に位置する母指球部を含み、
前記複数の表面滑り止め部は、全体として前記手掌部の前記付け根側から前記手首側に向けて前記母指球部に近づくように湾曲しており、
前記複数の裏面滑り止め部は、全体として前記手掌部の前記付け根側から前記手首側に向けて前記母指球部に近づくように湾曲している、請求項２に記載の手袋。
【請求項４】
前記複数の表面滑り止め部のうち互いに隣り合う前記表面滑り止め部の間隔は、前記手掌部の前記人差し指部側よりも前記小指部側が大きく、
前記複数の裏面滑り止め部のうち互いに隣り合う前記裏面滑り止め部の間隔は、前記手掌部の前記人差し指部側よりも前記小指部側が大きい、請求項３に記載の手袋。
【請求項５】
前記複数の表面滑り止め部は、前記手掌部の前記表面に沿って波形に構成されており、
前記複数の裏面滑り止め部は、前記手掌部の前記裏面に沿って波形に構成されている、請求項４に記載の手袋。
【請求項６】
前記手掌部を挟んで重なるように配置された前記複数の表面滑り止め部の各々と前記複数の裏面滑り止め部の各々とは互いに大きさが異なっている、請求項２〜５のいずれか１項に記載の手袋。
【請求項７】
前記複数の表面滑り止め部と前記複数の裏面滑り止め部とは、前記手掌部の前記付け根側と前記手首側とが対向する方向において、互いに反転するように配置されている、請求項６に記載の手袋。
【請求項８】
前記裏面滑り止め部材の前記手掌部の前記裏面からの高さは、前記表面滑り止め部材の前記手掌部の前記表面からの高さよりも低い、請求項１〜７のいずれか１項に記載の手袋。
【発明の詳細な説明】
【技術分野】
【０００１】
本発明は、手袋に関するものである。
【背景技術】
【０００２】
プレーヤーがゴルフクラブなどの用具を把持してスイングするときに、高速の回転運動が行われる。この高速の回転運動が行われる際に、プレーヤーの用具を握る手が滑らないように手袋が装着される。この手袋には滑り止め部材が設けられたものがある。
【０００３】
たとえば、実開平３−８１３０９号公報（特許文献１）には、滑り止め付手袋が記載されている。この公報に記載された滑り止め付手袋では、手袋本体の表裏両面に滑り止め部材が配置されている。滑り止め部材は、手袋の手掌部の中指、薬指および小指の付け根側に配置されており、手首側には配置されていない。また、滑り止め部材は、手袋本体の表裏両面において同じ形状に構成されている。
【先行技術文献】
【特許文献】
【０００４】
【特許文献１】実開平３−８１３０９号公報
【発明の概要】
【発明が解決しようとする課題】
【０００５】
上記の公報に記載された滑り止め付手袋では、滑り止め部材は、手袋本体の裏面において、手袋の手掌部の中指、薬指および小指の付け根側に配置されているため、装着者の手と手袋とのフィット感を高めることが可能である。
【０００６】
しかしながら、この滑り止め部材は手袋の手掌部の手首側には配置されていないため、滑り止め効果は不十分である。また、この滑り止め部材は手袋本体の表裏両面において同じ形状に構成されているため、滑り止め部材によって装着者が感じる違和感が大きくなる。
【０００７】
本発明は上記課題に鑑みてなされたものであり、その目的は、フィット感を高めることができるとともに、滑り止め効果を十分に高めることができ、かつ装着者が感じる違和感を小さくすることができる手袋を提供することである。
【課題を解決するための手段】
【０００８】
本発明の手袋は、装着者の手の親指、人差し指、中指、薬指および小指をそれぞれ受け入れ可能な親指部、人差し指部、中指部、薬指部および小指部と、装着者の手掌を受け入れ可能な手掌部と、手掌部の表面に配置された表面滑り止め部材と、手掌部の裏面に配置された裏面滑り止め部材とを備えている。表面滑り止め部材および裏面滑り止め部材の各々は、人差し指部、中指部、薬指部および小指部が並ぶ方向において、手掌部の中心よりも親指部と反対側に配置されている。表面滑り止め部材は、手掌部の人差し指部、中指部、薬指部および小指部の付け根側よりも手首側の面積が大きい。裏面滑り止め部材は、手掌部の手首側よりも付け根側の面積が大きい。
【発明の効果】
【０００９】
本発明の手袋によれば、表面滑り止め部材は、手掌部の人差し指部、中指部、薬指部および小指部の付け根側よりも手首側の面積が大きく、裏面滑り止め部材は、手掌部の手首側よりも付け根側の面積が大きい。したがって、フィット感を高めることができるとともに、滑り止め効果を十分に高めることができ、かつ装着者が感じる違和感を小さくすることができる。
【図面の簡単な説明】
【００１０】
【図１】本発明の一実施の形態における手袋を手掌側から見た状態を概略的に示す斜視図である。
【図２】装着者が図１の手袋を装着して用具を握った状態を示す斜視図である。
【図３】図１のＰ部分における裏面滑り止め部材を手掌部の裏面側から見た状態を概略的に示す平面図である。
【図４】図１の表面滑り止め部の構成を概略的に示す拡大斜視図である。
【図５】図４のＶ−Ｖ線に沿う拡大断面図である。
【図６】図３の裏面滑り止め部の構成を概略的に示す拡大斜視図である。
【図７】図６のＶＩＩ−ＶＩＩ線に沿う拡大断面図である。
【図８】装着者の左手を手掌側から見た場合の左手の外観および骨格を概略的に示す模式図である。
【図９】本発明の一実施の形態の変形例１における手袋を手掌側から見た状態を概略的に示す斜視図である。
【図１０】本発明の一実施の形態の変形例１における図１のＰ部分に対応する部分の裏面滑り止め部材を手掌部の裏面側から見た状態を概略的に示す平面図である。
【図１１】本発明の一実施の形態の変形例２における手袋を手掌側から見た状態を概略的に示す斜視図である。
【発明を実施するための形態】
【００１１】
以下、図面に基づいて本発明の実施の形態を説明する。なお、特に言及しない限り、以下の図面において同一または対応する部分には同一の参照符号を付し、その説明を繰り返さない。
【００１２】
図１〜図８を参照して、本発明の一実施の形態における手袋１の構成について説明する。図１および図２に示されるように、本実施の形態における手袋１は、用具２を把持する装着者の手に装着される手袋である。図２では、装着者が手袋１を装着して用具２を握った状態が破線で示されている。本実施の形態における手袋１としてゴルフ用手袋が例示されている。また、用具２としてゴルフクラブが例示されている。
【００１３】
手袋１は、装着者の一方の手を受け入れ可能に構成されている。この一方の手は、ゴルフクラブのグリップ２ａの根元側に位置する。装着者は、この一方の手に手袋１をはめた状態でゴルフクラブのグリップ２ａを把持する。この手袋１は、右打者用の手袋であって、右打者の左手に装着される左手用の手袋である。なお、本実施の形態における手袋１は右打者用の手袋に限定されず、左打者用の右手用の手袋であってもよい。左打者用の手袋は、右打者用の手袋とは鏡面対象となるように構成されている。また、本実施の形態における手袋１は、ゴルフ用手袋に限定されず、野球用手袋などのスポーツ用手袋であってもよい。
【００１４】
手袋１は、本体部１０と、表面滑り止め部材２０と、裏面滑り止め部材３０とを主に備えている。本体部１０は、指部１１と、手掌部１２と、手首部１３とを含んでいる。本体部１０の材料は、たとえば人工皮革または合成皮革である。
【００１５】
指部１１は、親指部１１Ａと、人差し指部１１Ｂと、中指部１１Ｃと、薬指部１１Ｄと、小指部１１Ｅとを含んでいる。親指部１１Ａ、人差し指部１１Ｂ、中指部１１Ｃ、薬指部１１Ｄおよび小指部１１Ｅは、装着者の手の親指、人差し指、中指、薬指および小指をそれぞれ受け入れ可能に構成されている。親指部１１Ａ、人差し指部１１Ｂ、中指部１１Ｃ、薬指部１１Ｄおよび小指部１１Ｅは互いに独立している。
【００１６】
手掌部１２は、装着者の手掌を受け入れ可能に構成されている。手掌部１２は指部１１に接続されている。手掌部１２は、装着者の手掌の小指球に位置する小指球部１２ａを含んでいる。また、手掌部１２は、装着者の手掌の母指球に位置する母指球部１２ｂを含んでいる。
【００１７】
手首部１３は、装着者の手首を受け入れ可能に構成されている。手首部１３は、手掌部１２に接続されている。手首部１３は、手掌部１２に対して指部１１と反対側に配置されている。
【００１８】
図１および図３に示されるように、表面滑り止め部材２０は、手掌部１２の表面Ｓ１に配置されている。表面滑り止め部材２０は、手掌部１２の表面Ｓ１の一部に配置されている。表面滑り止め部材２０は、手掌部１２の表面Ｓ１の全部には配置されていない。
【００１９】
裏面滑り止め部材３０は、手掌部１２の裏面Ｓ２に配置されている。裏面滑り止め部材３０は、手掌部１２の裏面Ｓ２の一部に配置されている。裏面滑り止め部材３０は、手掌部１２の裏面Ｓ２の全部には配置されていない。
【００２０】
表面滑り止め部材２０および裏面滑り止め部材３０の各々は、人差し指部１１Ｂ、中指部１１Ｃ、薬指部１１Ｄおよび小指部１１Ｅが並ぶ方向において、手掌部１２の中心よりも親指部１１Ａと反対側に配置されている。表面滑り止め部材２０および裏面滑り止め部材３０の各々は、小指球部１２ａに配置されている。表面滑り止め部材２０および裏面滑り止め部材３０の各々は、母指球部１２ｂには配置されていない。
【００２１】
表面滑り止め部材２０は、手掌部１２の人差し指部１１Ｂ、中指部１１Ｃ、薬指部１１Ｄおよび小指部１１Ｅの付け根側よりも手首側の面積が大きい。表面滑り止め部材２０は、手掌部１２の人差し指部１１Ｂ、中指部１１Ｃ、薬指部１１Ｄおよび小指部１１Ｅの付け根側に配置された部分よりも手掌部１２の手首側に配置された部分の面積が大きい。
【００２２】
表面滑り止め部材２０は、複数の表面滑り止め部２０ａを含んでいる。複数の表面滑り止め部２０ａのうち最も手首側に配置された表面滑り止め部２０ａの面積は、複数の表面滑り止め部２０ａのうち最も人差し指部１１Ｂ、中指部１１Ｃ、薬指部１１Ｄおよび小指部１１Ｅの付け根側に配置された表面滑り止め部２０ａの面積よりも大きい。複数の表面滑り止め部２０ａは、手掌部１２の人差し指部１１Ｂ、中指部１１Ｃ、薬指部１１Ｄおよび小指部１１Ｅの付け根側の端部から手掌部１２の手首側の端部まで順に面積が大きくなるように構成されていてもよい。
【００２３】
裏面滑り止め部材３０は、手掌部１２の手首側よりも人差し指部１１Ｂ、中指部１１Ｃ、薬指部１１Ｄおよび小指部１１Ｅの付け根側の面積が大きい。裏面滑り止め部材３０は、手掌部１２の手首側に配置された部分よりも手掌部１２の人差し指部１１Ｂ、中指部１１Ｃ、薬指部１１Ｄおよび小指部１１Ｅの付け根側に配置された部分の面積が大きい。
【００２４】
裏面滑り止め部材３０は、複数の裏面滑り止め部３０ａを含んでいる。複数の裏面滑り止め部３０ａのうち最も人差し指部１１Ｂ、中指部１１Ｃ、薬指部１１Ｄおよび小指部１１Ｅの付け根側に配置された裏面滑り止め部３０ａの面積は、複数の裏面滑り止め部３０ａのうち最も手首側に配置された裏面滑り止め部３０ａの面積よりも大きい。複数の裏面滑り止め部３０ａは、手掌部１２の手首側の端部から手掌部１２の人差し指部１１Ｂ、中指部１１Ｃ、薬指部１１Ｄおよび小指部１１Ｅの付け根側の端部まで順に面積が大きくなるように構成されていてもよい。
【００２５】
複数の表面滑り止め部２０ａは、全体として手掌部１２の人差し指部１１Ｂ、中指部１１Ｃ、薬指部１１Ｄおよび小指部１１Ｅの付け根側から手首側に向けて母指球部１２ｂに近づくように湾曲している。複数の表面滑り止め部２０ａは、全体として手掌部１２の表面Ｓ１において、手掌部１２の人差し指部１１Ｂ、中指部１１Ｃ、薬指部１１Ｄおよび小指部１１Ｅの付け根側から手首側に向けて母指球部１２ｂに近づくように曲がっている。複数の裏面滑り止め部３０ａは、全体として手掌部１２の人差し指部１１Ｂ、中指部１１Ｃ、薬指部１１Ｄおよび小指部１１Ｅの付け根側から手首側に向けて母指球部１２ｂに近づくように湾曲している。複数の裏面滑り止め部３０ａは、全体として手掌部１２の裏面Ｓ２において、手掌部１２の人差し指部１１Ｂ、中指部１１Ｃ、薬指部１１Ｄおよび小指部１１Ｅの付け根側から手首側に向けて母指球部１２ｂに近づくように曲がっている。
【００２６】
複数の表面滑り止め部２０ａは、手掌部１２の表面Ｓ１に配置されている。複数の表面滑り止め部２０ａは、手掌部１２の人差し指部１１Ｂ、中指部１１Ｃ、薬指部１１Ｄおよび小指部１１Ｅの付け根側から手首側に向けて互いに離れて配置されている。複数の表面滑り止め部２０ａのうち互いに隣り合う表面滑り止め部２０ａの間隔は、手掌部１２の人差し指部１１Ｂ側よりも小指部１１Ｅ側が大きい。
【００２７】
複数の表面滑り止め部２０ａは、第１表面部２１ａ、第２表面部２１ｂ、第３表面部２１ｃおよび第４表面部２１ｄを含んでいる。なお、複数の表面滑り止め部２０ａは、４つ以上の表面滑り止め部２０ａを含んでいてもよい。
【００２８】
複数の裏面滑り止め部３０ａは、手掌部１２の裏面Ｓ２に配置されている。複数の裏面滑り止め部３０ａは、手掌部１２の人差し指部１１Ｂ、中指部１１Ｃ、薬指部１１Ｄおよび小指部１１Ｅの付け根側から手首側に向けて互いに離れて配置されている。複数の裏面滑り止め部３０ａのうち互いに隣り合う裏面滑り止め部３０ａの間隔は、手掌部１２の人差し指部１１Ｂ側よりも小指部１１Ｅ側が大きい。
【００２９】
複数の裏面滑り止め部３０ａは、第１裏面部３１ａ、第２裏面部３１ｂ、第３裏面部３１ｃおよび第４裏面部３１ｄを含んでいる。なお、複数の裏面滑り止め部３０ａは、４つ以上の裏面滑り止め部３０ａを含んでいてもよい。
【００３０】
表面滑り止め部材２０および裏面滑り止め部材３０は、手掌部１２を挟んで互いに重なるように配置されている。本実施の形態では、複数の表面滑り止め部２０ａの各々と複数の裏面滑り止め部３０ａの各々とはそれぞれ手掌部１２を挟んで互いに重なるように配置されている。手掌部１２を挟んで重なるように配置された複数の表面滑り止め部２０ａの各々と複数の裏面滑り止め部３０ａの各々とは互いに大きさが異なっている。複数の表面滑り止め部２０ａと複数の裏面滑り止め部３０ａとは、手掌部１２の人差し指部１１Ｂ、中指部１１Ｃ、薬指部１１Ｄおよび小指部１１Ｅの付け根側と手首側とが対向する方向において、互いに反転するように配置されている。
【００３１】
表面滑り止め部材２０は、親指部１１Ａ、人差し指部１１Ｂ、中指部１１Ｃ、薬指部１１Ｄおよび小指部１１Ｅの少なくともいずれかの表面に配置されていてもよい。本実施の形態では、裏面滑り止め部材３０は、親指部１１Ａ、人差し指部１１Ｂ、中指部１１Ｃ、薬指部１１Ｄおよび小指部１１Ｅのいずれの裏面にも配置されていない。なお、裏面滑り止め部材３０は、親指部１１Ａ、人差し指部１１Ｂ、中指部１１Ｃ、薬指部１１Ｄおよび小指部１１Ｅの少なくともいずれかの裏面に配置されていてもよい。
【００３２】
図１および図４に示されるように、表面滑り止め部材２０は、手掌部１２の表面Ｓ１から表面Ｓ１に対して直交方向に突出するように構成されている。また、表面滑り止め部材２０は、親指部１１Ａ、人差し指部１１Ｂ、中指部１１Ｃ、薬指部１１Ｄおよび小指部１１Ｅの少なくともいずれかの表面から、表面に対して直交方向に突出するように構成されていてもよい。
【００３３】
図４においては、複数の表面滑り止め部２０ａの一例として、第１表面部２１ａが示されている。複数の表面滑り止め部２０ａの他の表面滑り止め部２０ａは、第１表面部２１ａと同様に構成されていてもよい。図４および図５に示されるように、本実施の形態では、第１表面部２１ａの幅方向の断面は、矩形状に構成されている。また、第１表面部２１ａの幅方向の断面形状は、矩形状の角部が面取りされた断面形状や、矩形の上辺が凸アール状に盛り上がった断面形状でもよい。
【００３４】
図３および図６に示されるように、裏面滑り止め部材３０は、手掌部１２の裏面Ｓ２から裏面Ｓ２に対して直交方向に突出するように構成されている。
【００３５】
図６においては、複数の裏面滑り止め部３０ａの一例として、第１裏面部３１ａが示されている。複数の裏面滑り止め部３０ａの他の裏面滑り止め部３０ａは、第１裏面部３１ａと同様に構成されていてもよい。図６および図７に示されるように、本実施の形態では、第１裏面部３１ａの幅方向の断面は、矩形状に構成されている。また、第１裏面部３１ａの幅方向の断面形状は、矩形状の角部が面取りされた断面形状や、矩形の上辺が凸アール状に盛り上がった断面形状でもよい。
【００３６】
図５および図６に示されるように、複数の裏面滑り止め部３０ａの第１裏面部３１ａの手掌部１２の裏面Ｓ２からの高さは、複数の表面滑り止め部２０ａの第１表面部２１ａの手掌部１２の表面Ｓ１からの高さよりも低い。つまり、裏面滑り止め部材３０の手掌部１２の裏面Ｓ２からの高さは、表面滑り止め部材２０の手掌部１２の表面Ｓ１からの高さよりも低い。
【００３７】
図１および図２に示されるように、第１表面部２１ａ、第２表面部２１ｂ、第３表面部２１ｃおよび第４表面部２１ｄのそれぞれは、装着者が用具２を握ったときに薬指部１１Ｄおよび小指部１１Ｅと対向する領域に配置されている。つまり、第１表面部２１ａ、第２表面部２１ｂ、第３表面部２１ｃおよび第４表面部２１ｄのそれぞれは、装着者が用具２を握ったときに薬指部１１Ｄおよび小指部１１Ｅによって覆われる。第１表面部２１ａ、第２表面部２１ｂ、第３表面部２１ｃおよび第４表面部２１ｄのそれぞれは、装着者が用具２を握ったときに人差し指部１１Ｂおよび中指部１１Ｃと対向する領域に配置されていない。つまり、第１表面部２１ａ、第２表面部２１ｂ、第３表面部２１ｃおよび第４表面部２１ｄのそれぞれは、装着者が用具２を握ったときに人差し指部１１Ｂおよび中指部１１Ｃによって覆われない。
【００３８】
第１表面部２１ａは、手掌部１２の表面に配置された表面滑り止め部材２０のうちで最も手首部１３の近くに配置されている。第１表面部２１ａは、薬指部１１Ｄおよび小指部１１Ｅのそれぞれから第２表面部２１ｂよりも離れて配置されている。具体的には、第１表面部２１ａは、装着者が手袋１を装着して手を開いたとき、すなわち薬指部１１Ｄおよび小指部１１Ｅを伸ばしたときに、薬指部１１Ｄおよび小指部１１Ｅのそれぞれから第２表面部２１ｂよりも離れて配置されている。
【００３９】
第１表面部２１ａは、薬指部１１Ｄ側から小指部１１Ｅ側に向けて第２表面部２１ｂとの間隔が広がるように延在している部分を含んでいる。つまり、第１表面部２１ａと第２表面部２１ｂとは、薬指部１１Ｄ側から小指部１１Ｅ側に向けて互いに間隔が広がるように配置されている。薬指部１１Ｄ側の端部における第１表面部２１ａと第２表面部２１ｂとの間隔よりも小指部１１Ｅ側の端部における第１表面部２１ａと第２表面部２１ｂとの間隔が広がっている。薬指部１１Ｄ側の端部から小指部１１Ｅ側の端部に至るまでの途中で第１表面部２１ａと第２表面部２１ｂとの間隔が部分的に狭くなっていても小指部１１Ｅ側の端部における第１表面部２１ａと第２表面部２１ｂとの間隔が広がっていればよい。
【００４０】
第２表面部２１ｂは、手首部１３から第１表面部２１ａよりも離れて配置されている。第２表面部２１ｂは、薬指部１１Ｄおよび小指部１１Ｅのそれぞれから第３表面部２１ｃよりも離れて配置されている。第２表面部２１ｂは、薬指部１１Ｄ側から小指部１１Ｅ側に向けて第３表面部２１ｃとの間隔が広がるように延在している部分を含んでいる。
【００４１】
第３表面部２１ｃは、手首部１３から第２表面部２１ｂよりも離れて配置されている。第３表面部２１ｃは、薬指部１１Ｄおよび小指部１１Ｅのそれぞれから第４表面部２１ｄよりも離れて配置されている。第３表面部２１ｃは、薬指部１１Ｄ側から小指部１１Ｅ側に向けて第４表面部２１ｄとの間隔が広がるように延在している部分を含んでいる。
【００４２】
第４表面部２１ｄは、手首部１３から第３表面部２１ｃよりも離れて配置されている。第４表面部２１ｄは、薬指部１１Ｄと小指部１１Ｅとが並ぶ方向に沿って薬指部１１Ｄ側から小指部１１Ｅ側に向けて延在している。薬指部１１Ｄと小指部１１Ｅとが並ぶ方向は、装着者が手袋１を装着したときの薬指部１１Ｄと小指部１１Ｅとが並ぶ方向を意味する。具体的には、薬指部１１Ｄと小指部１１Ｅとが並ぶ方向は、装着者が手袋を装着し、人差し指部１１Ｂ、中指部１１Ｃ、薬指部１１Ｄおよび小指部１１Ｅを閉じたときの薬指部１１Ｄと小指部１１Ｅとが並ぶ方向を意味する。第４表面部２１ｄは、手掌部１２の表面Ｓ１に配置された表面滑り止め部材２０のうちで最も薬指部１１Ｄおよび小指部１１Ｅの近くに配置されている。
【００４３】
第１表面部２１ａ、第２表面部２１ｂ、第３表面部２１ｃおよび第４表面部２１ｄのそれぞれの中心線と薬指部１１Ｄの中心線とのなす角度は、第１表面部２１ａ、第２表面部２１ｂ、第３表面部２１ｃおよび第４表面部２１ｄの順に小さくなっている。
【００４４】
第１表面部２１ａ、第２表面部２１ｂ、第３表面部２１ｃおよび第４表面部２１ｄのそれぞれの中心線は、第１表面部２１ａ、第２表面部２１ｂ、第３表面部２１ｃおよび第４表面部２１ｄのそれぞれの図心を通って長手方向に延在する中心線を意味する。
【００４５】
薬指部１１Ｄの中心線は、装着者が手袋１を装着したときの薬指部１１Ｄの中心線を意味する。具体的には、薬指部１１Ｄの中心線は、装着者が手袋１を装着し、人差し指部１１Ｂ、中指部１１Ｃ、薬指部１１Ｄおよび小指部１１Ｅを閉じたときの薬指部１１Ｄの中心線を意味する。
【００４６】
本実施の形態では、第１表面部２１ａ、第２表面部２１ｂ、第３表面部２１ｃおよび第４表面部２１ｄのそれぞれは、一方端と他方端とをつなぐ仮想の線に沿って長手方向を有している。第１表面部２１ａ、第２表面部２１ｂ、第３表面部２１ｃおよび第４表面部２１ｄのそれぞれの全長（長手方向の長さ）は、第１表面部２１ａ、第２表面部２１ｂ、第３表面部２１ｃおよび第４表面部２１ｄの順に短くなっていてもよい。
【００４７】
第１表面部２１ａ、第２表面部２１ｂ、第３表面部２１ｃおよび第４表面部２１ｄのおそれぞれの太さは、それぞれ均一であってもよい。第１表面部２１ａ、第２表面部２１ｂ、第３表面部２１ｃおよび第４表面部２１ｄのそれぞれの太さは、第１表面部２１ａ、第２表面部２１ｂ、第３表面部２１ｃおよび第４表面部２１ｄの順に細くなっていてもよい。また、第１表面部２１ａ、第２表面部２１ｂ、第３表面部２１ｃおよび第４表面部２１ｄのそれぞれの太さは、同じであってもよい。
【００４８】
本実施の形態では、表面滑り止め部材２０は、薬指滑り止め部２２ａおよび小指滑り止め部２２ｂを備えている。薬指滑り止め部２２ａは、薬指部１１Ｄにおける腹側の表面において薬指部１１Ｄの付け根から先端に向けて延在するように構成されている。薬指滑り止め部２２ａは薬指の第１関節および第２関節に相当する位置に跨って薬指の延在する方向に延在している。小指滑り止め部２２ｂは、小指部１１Ｅにおける腹側の表面において小指部１１Ｅの付け根から先端に向けて延在するように構成されている。小指滑り止め部２２ｂは小指の第１関節および第２関節に相当する位置に跨って小指の延在する方向に延在している。なお、表面滑り止め部材２０は、薬指滑り止め部２２ａおよび小指滑り止め部２２ｂの少なくともいずれかを備えていればよい。
【００４９】
また、本実施の形態では、表面滑り止め部材２０は、親指滑り止め部２３を備えている。親指滑り止め部２３は、親指部１１Ａにおける腹側の表面において親指部１１Ａの幅方向に延在するように構成されている。複数の親指滑り止め部２３は、親指の第１関節に相当する位置を跨って親指の延在する方向に並んで配置している。本実施の形態では、複数の親指滑り止め部２３が設けられているが、親指滑り止め部２３は１つであってもよい。
【００５０】
複数の表面滑り止め部２０ａは、手掌部１２の表面Ｓ１に沿って波形に構成されている。つまり、第１表面部２１ａ、第２表面部２１ｂ、第３表面部２１ｃおよび第４表面部２１ｄは、手掌部１２の表面Ｓ１の面内方向において波形に構成されている。また、薬指滑り止め部２２ａ、小指滑り止め部２２ｂおよび親指滑り止め部２３のそれぞれは、薬指部１１Ｄ、小指部１１Ｅおよび親指部１１Ａのそれぞれの表面Ｓ１の面内において波形に構成されている。波の形状は正弦波や三角波とすることができる。
【００５１】
図１および図３に示されるように、第１裏面部３１ａ、第２裏面部３１ｂ、第３裏面部３１ｃおよび第４裏面部３１ｄのそれぞれは、装着者が用具２を握ったときに薬指部１１Ｄおよび小指部１１Ｅと重なる領域に配置されている。つまり、第１裏面部３１ａ、第２裏面部３１ｂ、第３裏面部３１ｃおよび第４裏面部３１ｄのそれぞれは、装着者が用具２を握ったときに薬指部１１Ｄおよび小指部１１Ｅによって覆われる。第１裏面部３１ａ、第２裏面部３１ｂ、第３裏面部３１ｃおよび第４裏面部３１ｄのそれぞれは、装着者が用具２を握ったときに人差し指部１１Ｂおよび中指部１１Ｃと重なる領域に配置されていない。つまり、第１裏面部３１ａ、第２裏面部３１ｂ、第３裏面部３１ｃおよび第４裏面部３１ｄのそれぞれは、装着者が用具２を握ったときに人差し指部１１Ｂおよび中指部１１Ｃによって覆われない。
【００５２】
第１裏面部３１ａは、薬指部１１Ｄと小指部１１Ｅとが並ぶ方向に沿って薬指部１１Ｄ側から小指部１１Ｅ側に向けて延在している。第１裏面部３１ａは、手掌部１２の裏面に配置され裏面滑り止め部材３０のうちで最も薬指部１１Ｄおよび小指部１１Ｅの近くに配置されている。第１裏面部３１ａは、手掌部１２の裏面Ｓ２に配置された裏面滑り止め部３０ａのうちで最も手首部１３から離れて配置されている。
【００５３】
第２裏面部３１ｂは、薬指部１１Ｄおよび小指部１１Ｅのそれぞれから第１裏面部３１ａよりも離れて配置されている。具体的には、第２裏面部３１ｂは、装着者が手袋１を装着して手を開いたとき、すなわち薬指部１１Ｄおよび小指部１１Ｅを伸ばしたときに、薬指部１１Ｄおよび小指部１１Ｅのそれぞれから第１裏面部３１ａよりも離れて配置されている。第２裏面部３１ｂは、第１裏面部３１ａよりも手首部１３の近くに配置されている。
【００５４】
第２裏面部３１ｂは、薬指部１１Ｄ側から小指部１１Ｅ側に向けて第１裏面部３１ａとの間隔が広がるように延在している部分を含んでいる。つまり、第１裏面部３１ａと第２裏面部３１ｂとは、薬指部１１Ｄ側から小指部１１Ｅ側に向けて互いに間隔が広がるように配置されている。薬指部１１Ｄ側の端部における第１裏面部３１ａと第２裏面部３１ｂとの間隔よりも小指部１１Ｅ側の端部における第１裏面部３１ａと第２裏面部３１ｂとの間隔が広がっている。薬指部１１Ｄ側の端部から小指部１１Ｅ側の端部に至るまでの途中で第１裏面部３１ａと第２裏面部３１ｂとの間隔が部分的に狭くなっていても小指部１１Ｅ側の端部における第１裏面部３１ａと第２裏面部３１ｂとの間隔が広がっていればよい。
【００５５】
第３裏面部３１ｃは、薬指部１１Ｄおよび小指部１１Ｅのそれぞれから第２裏面部３１ｂよりも離れて配置されている。第３裏面部３１ｃは、第２裏面部３１ｂよりも手首部１３の近くに配置されている。第３裏面部３１ｃは、薬指部１１Ｄ側から小指部１１Ｅ側に向けて第２裏面部３１ｂとの間隔が広がるように延在している部分を含んでいる。
【００５６】
第４裏面部３１ｄは、薬指部１１Ｄおよび小指部１１Ｅのそれぞれから第３裏面部３１ｃよりも離れて配置されている。第４裏面部３１ｄは、薬指部１１Ｄ側から小指部１１Ｅ側に向けて第３裏面部３１ｃとの間隔が広がるように延在している部分を含んでいる。第４裏面部３１ｄは、手掌部１２の裏面Ｓ２に配置された裏面滑り止め部材３０のうちで最も手首部１３の近くに配置されている。
【００５７】
第１裏面部３１ａ、第２裏面部３１ｂ、第３裏面部３１ｃおよび第４裏面部３１ｄのそれぞれの中心線と薬指部１１Ｄの中心線とのなす角度は、第１裏面部３１ａ、第２裏面部３１ｂ、第３裏面部３１ｃおよび第４裏面部３１ｄの順に大きくなっている。
【００５８】
第１裏面部３１ａ、第２裏面部３１ｂ、第３裏面部３１ｃおよび第４裏面部３１ｄのそれぞれの中心線は、第１裏面部３１ａ、第２裏面部３１ｂ、第３裏面部３１ｃおよび第４裏面部３１ｄのそれぞれの図心を通って長手方向に延在する中心線を意味する。
【００５９】
本実施の形態では、第１裏面部３１ａ、第２裏面部３１ｂ、第３裏面部３１ｃおよび第４裏面部３１ｄのそれぞれは、一方端と他方端とをつなぐ仮想の線に沿って長手方向を有している。第１裏面部３１ａ、第２裏面部３１ｂ、第３裏面部３１ｃおよび第４裏面部３１ｄのそれぞれの全長（長手方向の長さ）は、第１裏面部３１ａ、第２裏面部３１ｂ、第３裏面部３１ｃおよび第４裏面部３１ｄの順に短くなっていてもよい。
【００６０】
第１裏面部３１ａ、第２裏面部３１ｂ、第３裏面部３１ｃおよび第４裏面部３１ｄのそれぞれの太さは、それぞれ均一であってもよい。第１裏面部３１ａ、第２裏面部３１ｂ、第３裏面部３１ｃおよび第４裏面部３１ｄのそれぞれの太さは、第１裏面部３１ａ、第２裏面部３１ｂ、第３裏面部３１ｃおよび第４裏面部３１ｄの順に細くなっていてもよい。また、第１裏面部３１ａ、第２裏面部３１ｂ、第３裏面部３１ｃおよび第４裏面部３１ｄのそれぞれの太さは、同じであってもよい。
【００６１】
第１裏面部３１ａは第１表面部２１ａよりも太くてもよい。第２裏面部３１ｂは第２表面部２１ｂよりも太くてもよい。第３裏面部３１ｃは第３表面部２１ｃよりも太くてもよい。第４裏面部３１ｄは第４表面部２１ｄよりも太くてもよい。このため、裏面滑り止め部材３０の高さが表面滑り止め部材２０の高さよりも低い場合でも裏面滑り止め部材３０による滑り止め効果を確保することができる。
【００６２】
複数の裏面滑り止め部３０ａは、手掌部１２の裏面Ｓ２に沿って波形に構成されている。第１裏面部３１ａ、第２裏面部３１ｂ、第３裏面部３１ｃおよび第４裏面部３１ｄは、手掌部１２の裏面Ｓ２の面内方向において波形に構成されている。波の形状は正弦波や三角波とすることができる。
【００６３】
図２に示されるように、表面滑り止め部材２０および裏面滑り止め部材３０の各々は、装着者が用具２を握ってスイングしたときに薬指部１１Ｄ、小指部１１Ｅおよび手掌部１２の表面に作用するせん断力の方向に対して交差する方向に延在している。つまり、表面滑り止め部材２０および裏面滑り止め部材３０の各々は、せん断力の方向を横切る方向に配置されている。このせん断力は、スイングしたときに遠心力によってグリップに作用する力により表面の面内に沿って作用する力である。図２では、このせん断力の方向が矢印で示されている。このせん断力の方向は、各指部および手掌部１２の全体におけるせん断力の方向を示している。この全体のせん断力は右回りとなる。なお、ここでは右打者の左手用の手袋に作用するせん断力の方向を示している。左打者の右手用の手袋であれば全体のせん断力の方向は逆向き、つまり左回りとなる。
【００６４】
図１および図８を参照して、表面滑り止め部材２０および裏面滑り止め部材３０の配置について、装着者の左手１０１の骨との対応を用いて説明する。図８では、装着者の左手１０１を手掌１０１Ａ側から見た場合の左手１０１の外観および骨格が示されている。
【００６５】
図８に示されるように、人差し指１０１Ｂ２、中指１０１Ｂ３、薬指１０１Ｂ４、小指１０１Ｂ５のそれぞれにおいては、指先側から順に末節骨１１１、中節骨１１２、基節骨１１３、中手骨１１４が配列されている。末節骨１１１と中節骨１１２とは互いに遠位指節間関節１２１を介して接続されている。中節骨１１２と基節骨１１３とは近位指節間関節１２２を介して接続されている。基節骨１１３と中手骨１１４とは中手指節関節１２３を介して接続されている。中手骨１１４の基節骨１１３側の端部には膨出部１１４Ａが配置されている。親指１０１Ｂ１においては、指先側から順に末節骨１１１、基節骨１１３、中手骨１１４が配列されている。親指１０１Ｂ１においては、末節骨１１１と基節骨１１３とは第１指節間関節１２４を介して接続されており、基節骨１１３と中手骨１１４とは中手指節関節１２３を介して接続されている。
【００６６】
第１表面部２１ａは、手掌１０１Ａ側において中指１０１Ｂ３の中手骨１１４の根元部および手根骨１３０に跨って配置されている。第２表面部２１ｂは、手掌１０１Ａ側において中指１０１Ｂ３の中手骨１１４の根元部、薬指１０１Ｂ４の中手骨１１４の根元部および小指１０１Ｂ５の中手骨１１４の根元部に跨って配置されている。
【００６７】
第３表面部２１ｃは手掌１０１Ａ側において薬指１０１Ｂ４の中手骨１１４の中央および小指１０１Ｂ５の中手骨１１４の中央に跨って配置されている。第４表面部２１ｄは、手掌１０１Ａ側において薬指１０１Ｂ４の中手骨１１４の膨出部１１４Ａおよび小指１０１Ｂ５の中手骨１１４の膨出部１１４Ａに跨って配置されている。
【００６８】
第１裏面部３１ａは、手掌１０１Ａ側において中指１０１Ｂ３の中手骨１１４の膨出部１１４Ａ、薬指１０１Ｂ４の中手骨１１４の膨出部１１４Ａおよび小指１０１Ｂ５の中手骨１１４の膨出部１１４Ａに跨って配置されている。第２裏面部３１ｂは、手掌１０１Ａ側において中指１０１Ｂ３の中手骨１１４の中央、薬指１０１Ｂ４の中手骨１１４の中央および小指１０１Ｂ５の中手骨１１４の中央に跨って配置されている。
【００６９】
第３裏面部３１ｃは、手掌１０１Ａ側において中指１０１Ｂ３の中手骨１１４の根元部および薬指１０１Ｂ４の中手骨１１４の根元部に跨って配置されている。第４裏面部３１ｄは、手掌１０１Ａ側において中指１０１Ｂ３の中手骨１１４の根元部および手根骨１３０に跨って配置されている。
【００７０】
薬指滑り止め部２２ａは薬指１０１Ｂ４における末節骨１１１の根元部から中節骨１１２を介して基節骨１１３の根元部に跨って配置されている。小指滑り止め部２２ｂは小指１０１Ｂ５における末節骨１１１の根元部から中節骨１１２を介して基節骨１１３の根元部に跨って配置されている。親指滑り止め部２３は親指１０１Ｂ１における末節骨１１１の先端から基節骨１１３の根元部に跨って配置されている。
【００７１】
表面滑り止め部材２０および裏面滑り止め部材３０の各々は粘弾性体により構成されている。粘弾性体の材料は、たとえばシリコンなどである。粘弾性体の硬度は、たとえばＪＩＳＡ３０程度である。表面滑り止め部材２０および裏面滑り止め部材３０の各々の高さは、たとえば１．０ｍｍ以下であり、０．４ｍｍ〜０．６ｍｍが好ましい。また高さは各部位毎に高さを変えて摩擦力を調整することができる。表面滑り止め部材２０が配置された領域の全体の領域に対する占有割合は、たとえば５％以上５０％以下である。裏面滑り止め部材３０が配置された領域の全体の領域に対する占有割合は、たとえば５％以上５０％以下である。
【００７２】
上記では、親指部１１Ａ、人差し指部１１Ｂ、中指部１１Ｃ、薬指部１１Ｄおよび小指部１１Ｅが、装着者の親指、人差し指、中指、薬指および小指のそれぞれの全体を収容するように構成されている場合について説明した。しかしながら、親指部１１Ａ、人差し指部１１Ｂ、中指部１１Ｃ、薬指部１１Ｄおよび小指部１１Ｅは、装着者の親指、人差し指、中指、薬指および小指のそれぞれの少なくとも根元部を収容していればよい。
【００７３】
次に、本実施の形態における手袋１の作用効果について説明する。
【００７４】
本実施の形態の手袋１によれば、裏面滑り止め部材３０は手掌部１２の裏面Ｓ２に配置されており、裏面滑り止め部材３０は手掌部１２の手首側よりも人差し指部１１Ｂ、中指部１１Ｃ、薬指部１１Ｄおよび小指部１１Ｅの付け根側の面積が大きい。装着者が用具２を把持する際に、手袋１が用具２に特に押し付けられる手掌部１２の人差し指部１１Ｂ、中指部１１Ｃ、薬指部１１Ｄおよび小指部１１Ｅの付け根側において、裏面滑り止め部材３０によってしっかりと滑りを止めることで、手と手袋１とのフィット感を高めることができる。
【００７５】
本実施の形態の手袋１によれば、表面滑り止め部材２０は手掌部１２の表面Ｓ１に配置されており、表面滑り止め部材２０は手掌部１２の人差し指部１１Ｂ、中指部１１Ｃ、薬指部１１Ｄおよび小指部１１Ｅの付け根側よりも手首側の面積が大きい。装着者が用具２を把持してスイングするときに、高速の回転運動が行われる。この回転運動においては、用具２のグリップエンドが用具２の回転中心となる。表面滑り止め部材２０によって回転中心の滑りを止めることで、滑り止め効果を十分に高めることができる。
【００７６】
本実施の形態の手袋１によれば、表面滑り止め部材２０は、手掌部１２の人差し指部１１Ｂ、中指部１１Ｃ、薬指部１１Ｄおよび小指部１１Ｅの付け根側よりも手首側の面積が大きく、裏面滑り止め部材３０は、手掌部１２の手首側よりも人差し指部１１Ｂ、中指部１１Ｃ、薬指部１１Ｄおよび小指部１１Ｅの付け根側の面積が大きい。このため、表面滑り止め部材２０および裏面滑り止め部材の３０の各々の面積が大きい部分同士が重なることを抑制することができる。したがって、表面滑り止め部材２０および裏面滑り止め部材３０によって装着者が感じる違和感を小さくすることができる。
【００７７】
本実施の形態の手袋１によれば、裏面滑り止め部材３０は、手掌部１２の手首側よりも人差し指部１１Ｂ、中指部１１Ｃ、薬指部１１Ｄおよび小指部１１Ｅの付け根側の面積が大きい。したがって、手袋１の入口側である手首側の裏面滑り止め部材３０が小さいため、手袋１に手を挿入しやすい。このため、手袋１の着脱が容易となる。
【００７８】
また、本実施の形態の手袋１によれば、複数の表面滑り止め部２０ａのうち最も手首側に配置された表面滑り止め部２０ａの面積は、複数の表面滑り止め部２０ａのうち最も人差し指部１１Ｂ、中指部１１Ｃ、薬指部１１Ｄおよび小指部１１Ｅの付け根側に配置された表面滑り止め部２０ａの面積よりも大きい。さらに、複数の裏面滑り止め部３０ａのうち最も最も人差し指部１１Ｂ、中指部１１Ｃ、薬指部１１Ｄおよび小指部１１Ｅの付け根側に配置された裏面滑り止め部３０ａの面積は、複数の裏面滑り止め部３０ａのうち最も手首側に配置された裏面滑り止め部３０ａの面積よりも大きい。このため、手と手袋１とのフィット感を高めることができるとともに滑り止め効果を十分に高めることができ、かつ装着者が感じる違和感を小さくすることができる。
【００７９】
また、本実施の形態の手袋１によれば、複数の表面滑り止め部２０ａは、全体として手掌部１２の人差し指部１１Ｂ、中指部１１Ｃ、薬指部１１Ｄおよび小指部１１Ｅの付け根側から手首側に向けて母指球部１２ｂに近づくように湾曲している。さらに複数の裏面滑り止め部３０ａは、全体として手掌部１２の人差し指部１１Ｂ、中指部１１Ｃ、薬指部１１Ｄおよび小指部１１Ｅの付け根側から手首側に向けて母指球部１２ｂに近づくように湾曲している。このため、装着者が用具２を握ってスイングしたときに手掌部１２の表面に作用するせん断力に垂直に複数の表面滑り止め部２０ａおよび複数の裏面滑り止め部３０ａをそれぞれ配置することができる。これにより、大きな滑り止め効果を得ることができる。
【００８０】
また、本実施の形態の手袋１によれば、複数の表面滑り止め部２０ａのうち互いに隣り合う表面滑り止め部２０ａの間隔は、手掌部１２の人差し指部１１Ｂ側よりも小指部１１Ｅ側が大きい。複数の裏面滑り止め部３０ａのうち互いに隣り合う裏面滑り止め部３０ａの間隔は、手掌部１２の人差し指部１１Ｂ側よりも小指部１１Ｅ側が大きい。このため、装着者が用具２を握ってスイングしたときに手掌部１２の表面Ｓ１および裏面Ｓ２に作用するせん断力に垂直に複数の表面滑り止め部２０ａおよび複数の裏面滑り止め部３０ａをそれぞれ配置することができる。これにより、大きな滑り止め効果を得ることができる。
【００８１】
また、本実施の形態の手袋１によれば、複数の表面滑り止め部２０ａは、手掌部１２の表面Ｓ１に沿って波形に構成されている。複数の裏面滑り止め部３０ａは、手掌部１２の裏面Ｓ２に沿って波形に構成されている。このため、装着者が用具２を握ってスイングしたときに手掌部１２の表面Ｓ１および裏面Ｓ２に作用するせん断力に垂直に複数の表面滑り止め部２０ａおよび複数の裏面滑り止め部３０ａをそれぞれ配置することが容易である。
【００８２】
また、本実施の形態の手袋１によれば、手掌部１２を挟んで重なるように配置された複数の表面滑り止め部２０ａの各々と複数の裏面滑り止め部３０ａの各々とは互いに大きさが異なっている。このため、複数の表面滑り止め部２０ａおよび複数の裏面滑り止め部３０ａによる滑り止め効果を平均化することが容易である。
【００８３】
また、本実施の形態の手袋１によれば、複数の表面滑り止め部２０ａと複数の裏面滑り止め部３０ａとは、手掌部１２の人差し指部１１Ｂ、中指部１１Ｃ、薬指部１１Ｄおよび小指部１１Ｅの付け根側と手首側とが対向する方向において、互いに反転するように配置されている。このため、複数の表面滑り止め部２０ａおよび複数の裏面滑り止め部３０ａによる滑り止め効果を平均することができる。
【００８４】
また、本実施の形態の手袋１によれば、裏面滑り止め部材３０の手掌部１２の裏面Ｓ２からの高さは、表面滑り止め部材２０の手掌部１２の表面Ｓ１からの高さよりも低い。このため、滑り止め効果を十分に高めることができつつ装着者の手の手袋１への挿入が容易である。
【００８５】
次に、本実施の形態の各変形例について説明する。なお、特に言及しない限り、各変形例の手袋１は上記の本実施の形態の手袋１と同様の構成を備えている。
【００８６】
図９および図１０を参照して、本実施の形態の変形例１における手袋１について説明する。図９および図１０に示されるように、本実施の形態の変形例１における手袋１は、図１に示される上記の本実施の形態の手袋１に比べて、表面滑り止め部材２０および裏面滑り止め部材３０の構成が異なっている。
【００８７】
本実施の形態の変形例１における表面滑り止め部２０ａは、表面Ｓ１の面内方向において全体として波形となるように互いに隙間をあけて配置された複数の表面構成部２０Ｘを含んでいる。この隙間は、波形の角部に配置されている。複数の表面構成部２０Ｘの各々は、直線状に構成されている。また、表面滑り止め部２０ａは、複数の補助表面部２０Ｙを含んでいる。複数の補助表面部２０Ｙは、直線状に構成されている。複数の補助表面部２０Ｙの各々は、隣り合う複数の表面構成部２０Ｘの各々と間隔をあけて、隣り合う複数の表面構成部２０Ｘの各々に沿って配置されている。
【００８８】
裏面滑り止め部３０ａは、裏面Ｓ２の面内方向において全体として波形となるように互いに隙間をあけて配置された複数の裏面構成部３０Ｘを含んでいる。この隙間は波形の角部に配置されている。複数の裏面構成部３０Ｘの各々は、直線状に構成されている。また、裏面滑り止め部３０ａは、複数の補助裏面部３０Ｙを含んでいる。複数の補助裏面部３０Ｙは、直線状に構成されている。複数の補助裏面部３０Ｙの各々は、隣り合う複数の裏面構成部３０Ｘの各々と間隔をあけて、隣り合う複数の裏面構成部３０Ｘの各々に沿って配置されている。
【００８９】
本実施の形態の変形例１における手袋１においては、表面滑り止め部２０ａの波形の角部に隙間が配置されている。このため、表面滑り止め部２０ａが用具２に沿って変形するときに、複数の表面構成部２０Ｘの間の隙間によって表面滑り止め部２０ａの変形が調整可能である。また、裏面滑り止め部３０ａの波形の角部に隙間が配置されている。このため、裏面滑り止め部３０ａが用具２に沿って変形するときに、複数の裏面構成部３０Ｘの間の隙間によって裏面滑り止め部３０ａの変形が調整可能である。さらに、複数の補助表面部２０Ｙによって滑り止め効果を高めることができる。また、複数の補助裏面部３０Ｙによって滑り止め効果を高めることができる。
【００９０】
本実施の形態の変形例１における手袋１においては、直線状に構成された複数の表面構成部２０Ｘによって、全体として波形となるように表面滑り止め部２０ａを構成することができる。このため、表面滑り止め部２０ａの形成が容易となる。また、直線状に構成された複数の裏面構成部３０Ｘによって、全体として波形となるように裏面滑り止め部３０ａを構成することができる。このため、裏面滑り止め部３０ａの形成が容易となる。
【００９１】
図１１を参照して、本実施の形態の変形例２における手袋１について説明する。図１１に示されるように、本実施の形態の変形例２における手袋１は、図９および図１０に示される上記の本実施の形態の変形例１における手袋１に比べて、プリント部４０を備えている点で異なっている。
【００９２】
手袋１は、親指部１１Ａ、人差し指部１１Ｂ、中指部１１Ｃ、薬指部１１Ｄおよび小指部１１Ｅのそれぞれの腹ならびに手掌部１２に設けられたプリント部４０を備えている。プリント部４０は、親指部１１Ａ、人差し指部１１Ｂ、中指部１１Ｃ、薬指部１１Ｄおよび小指部１１Ｅのそれぞれの腹ならびに手掌部１２の表面から、表面に直交する方向に突出するように構成されている。表面滑り止め部材２０はプリント部４０に重ならないように配置されている。また、表面滑り止め部材２０はプリント部４０に重ねられるように配置されていてもよい。プリント部４０の表面からの高さは、表面滑り止め部材２０の表面からの高さよりも低くなっている。
【００９３】
プリント部４０は、親指部１１Ａ、人差し指部１１Ｂ、中指部１１Ｃ、薬指部１１Ｄおよび小指部１１Ｅのそれぞれの腹ならびに手掌部１２の全面に亘って設けられている。プリント部４０は格子状に構成されている。各格子は略正方形状に構成されている。
【００９４】
本実施の形態の変形例２における手袋１においては、プリント部４０によって摩擦力を向上させることができる。これにより、さらに大きな滑り止め効果を得ることができる。
【００９５】
なお、上記の本実施の形態および各変形例は適宜組み合わせることができる。
【００９６】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００９７】
１  手袋、２  用具、１０  本体部、１１  指部、１１Ａ  親指部、１１Ｂ  人差し指部、１１Ｃ  中指部、１１Ｄ  薬指部、１１Ｅ  小指部、１２  手掌部、１２ａ  小指球部、１２ｂ  母指球部、１３  手首部、２０  表面滑り止め部材、２０Ｘ  表面構成部、２０Ｙ  補助表面部、２１  グリップ、２１ａ  第１表面部、２１ｂ  第２表面部、２１ｃ  第３表面部、２１ｄ  第４表面部、２２ａ  薬指滑り止め部、２２ｂ  小指滑り止め部、２３  親指滑り止め部、３０  裏面滑り止め部材、３０Ｘ  裏面構成部、３０Ｙ  補助裏面部、３０ａ  裏面滑り止め部、３１ａ  第１裏面部、３１ｂ  第２裏面部、３１ｃ  第３裏面部、３１ｄ  第４裏面部、４０  プリント部、Ｓ１  表面、Ｓ２  裏面。
【図１】
2022001678.tif 000003
【図２】
2022001678.tif 000004
【図３】
2022001678.tif 000005
【図４】
2022001678.tif 000006
【図５】
2022001678.tif 000007
【図６】
2022001678.tif 000008
【図７】
2022001678.tif 000009
【図８】
2022001678.tif 000010
【図９】
2022001678.tif 000011
【図１０】
2022001678.tif 000012
【図１１】
2022001678.tif 000013
【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
装着者の手の親指、人差し指、中指、薬指および小指をそれぞれ受け入れ可能な親指部、人差し指部、中指部、薬指部および小指部と、
前記装着者の手掌を受け入れ可能な手掌部と、
前記手掌部の表面に配置された表面滑り止め部材と、
前記手掌部の裏面に配置された裏面滑り止め部材とを備え、
前記表面滑り止め部材および前記裏面滑り止め部材の各々は、前記人差し指部、前記中指部、前記薬指部および前記小指部が並ぶ方向において、前記手掌部の中心よりも前記親指部と反対側に配置されており、
前記表面滑り止め部材は、前記手掌部の前記人差し指部、前記中指部、前記薬指部および前記小指部の付け根側よりも手首側の面積が大きく、
前記裏面滑り止め部材は、前記手掌部の前記手首側よりも前記付け根側の面積が大きく、
前記表面滑り止め部材は、複数の表面滑り止め部を含み、
前記裏面滑り止め部材は、複数の裏面滑り止め部を含み、
前記複数の表面滑り止め部のうち最も前記手首側に配置された前記表面滑り止め部の面積は、前記複数の表面滑り止め部のうち最も前記付け根側に配置された前記表面滑り止め部の面積よりも大きく、
前記複数の裏面滑り止め部のうち最も前記付け根側に配置された前記裏面滑り止め部の面積は、前記複数の裏面滑り止め部のうち最も前記手首側に配置された前記裏面滑り止め部の面積よりも大きく、
前記手掌部は、前記装着者の前記手掌の母指球に位置する母指球部を含み、
前記複数の表面滑り止め部は、全体として前記手掌部の前記付け根側から前記手首側に向けて前記母指球部に近づくように湾曲しており、
前記複数の裏面滑り止め部は、全体として前記手掌部の前記付け根側から前記手首側に向けて前記母指球部に近づくように湾曲している、手袋。
【請求項２】
前記複数の表面滑り止め部のうち互いに隣り合う前記表面滑り止め部の間隔は、前記手掌部の前記人差し指部側よりも前記小指部側が大きく、
前記複数の裏面滑り止め部のうち互いに隣り合う前記裏面滑り止め部の間隔は、前記手掌部の前記人差し指部側よりも前記小指部側が大きい、請求項１に記載の手袋。
【請求項３】
前記複数の表面滑り止め部は、前記手掌部の前記表面に沿って波形に構成されており、  前記複数の裏面滑り止め部は、前記手掌部の前記裏面に沿って波形に構成されている、請求項２に記載の手袋。
【請求項４】
前記手掌部を挟んで重なるように配置された前記複数の表面滑り止め部の各々と前記複数の裏面滑り止め部の各々とは互いに大きさが異なっている、請求項１〜３のいずれか１項に記載の手袋。
【請求項５】
前記複数の表面滑り止め部と前記複数の裏面滑り止め部とは、前記手掌部の前記付け根側と前記手首側とが対向する方向において、互いに反転するように配置されている、請求項４に記載の手袋。
【請求項６】
前記裏面滑り止め部材の前記手掌部の前記裏面からの高さは、前記表面滑り止め部材の前記手掌部の前記表面からの高さよりも低い、請求項１〜５のいずれか１項に記載の手袋。
【手続補正２】
【補正対象書類名】明細書
【補正対象項目名】０００８
【補正方法】変更
【補正の内容】
【０００８】
本発明の手袋は、装着者の手の親指、人差し指、中指、薬指および小指をそれぞれ受け入れ可能な親指部、人差し指部、中指部、薬指部および小指部と、装着者の手掌を受け入れ可能な手掌部と、手掌部の表面に配置された表面滑り止め部材と、手掌部の裏面に配置された裏面滑り止め部材とを備えている。表面滑り止め部材および裏面滑り止め部材の各々は、人差し指部、中指部、薬指部および小指部が並ぶ方向において、手掌部の中心よりも親指部と反対側に配置されている。表面滑り止め部材は、手掌部の人差し指部、中指部、薬指部および小指部の付け根側よりも手首側の面積が大きい。裏面滑り止め部材は、手掌部の手首側よりも付け根側の面積が大きい。表面滑り止め部材は、複数の表面滑り止め部を含んでいる。裏面滑り止め部材は、複数の裏面滑り止め部を含んでいる。複数の表面滑り止め部のうち最も手首側に配置された表面滑り止め部の面積は、複数の表面滑り止め部のうち最も付け根側に配置された表面滑り止め部の面積よりも大きい。複数の裏面滑り止め部のうち最も付け根側に配置された裏面滑り止め部の面積は、複数の裏面滑り止め部のうち最も手首側に配置された裏面滑り止め部の面積よりも大きい。手掌部は、装着者の手掌の母指球に位置する母指球部を含んでいる。複数の表面滑り止め部は、全体として手掌部の付け根側から手首側に向けて母指球部に近づくように湾曲している。複数の裏面滑り止め部は、全体として手掌部の付け根側から手首側に向けて母指球部に近づくように湾曲している。